(57)【要約】【課題】外来光や内部の散乱光が一時的に変化しても入力操作を誤判定することがない操作パネル入力装置を提供する。【解決手段】受光量記憶部（２１）で一次記憶される発光時受光量（Ｌｏｎ（ｏ））と、新たに検出される発光時受光量（Ｌｏｎ（ｃ））とを比較し、操作体との距離の変化を検出することにより、入力操作状態を判定する。外来光、内部散乱光など光量変化は、発光時受光量（Ｌｏｎ（ｏ））と新たに検出される発光時受光量（Ｌｏｎ（ｃ））のいずれにも等しく影響し、その受光量の差には表れないので、入力操作状態のみを判定することができる。【選択図】　図７
2004147026.tif 000002
【特許請求の範囲】
【請求項１】
少なくとも一部が光透過部となった操作パネル（３）と、
各光スイッチユニット（Ｕ）が、操作パネル（３）の内方に配置され、操作パネル（３）の光透過部から外方へ光検出信号を発光する発光手段（５）と、光透過部の外方で反射された光検出信号を受光可能な受光手段（６）とを、対として有する複数の光スイッチユニット（Ｕ）と、
各光スイッチユニット（Ｕ）の発光手段（５）に対し、他の光スイッチユニット（Ｕ）の発光手段（５）から発光される光検出信号と重複しないように、少なくとも入力操作時間より短い走査周期（Ｔ）で光検出信号を繰り返し発光させる発光制御手段（１０）と、
発光手段（５）が光検出信号を発光する走査周期（Ｔ）に同期させて、同一の光スイッチユニット（Ｕ）で対となる受光手段（６）に対し受光量を検出させる受光制御手段（１０）と、
受光手段（６）が検出した受光量を、各光スイッチユニット（Ｕ）の受光手段（６）毎に一次記憶する受光量記憶部（２１）と、
光スイッチユニット（Ｕ）の発光手段（５）が光検出信号を発光した際の対となる受光手段（６）が検出した受光量から、前記光スイッチユニット（Ｕ）に対する入力操作状態を判定する入力判定手段（１０）とを備えた操作パネル入力装置であって、
受光量記憶部（２１）は、発光手段（５）が光検出信号を発光する発光期間（ｔｏｎ）に、対となる受光手段（６）が検出した発光時受光量（Ｌｏｎ）を一次記憶し、
入力判定手段（１０）は、光スイッチユニット（Ｕ）の受光手段（６）が新たに検出した発光時受光量（Ｌｏｎ（ｃ））と、その受光手段（６）について受光量記憶部（２１）で一次記憶された発光時受光量（Ｌｏｎ（ｏ））とから、当該光スイッチユニット（Ｕ）に対する入力操作状態を判定することを特徴とする操作パネル入力装置。
【請求項２】
入力判定手段（１０）は、光スイッチユニット（Ｕ）の受光手段（６）が新たに検出した発光時受光量（Ｌｏｎ（ｃ））が、その受光手段（６）について受光量記憶部（２１）で一次記憶された発光時受光量（Ｌｏｎ（ｏ））と比較して、所定の入力しきい値を越えて増加したときに、当該光スイッチユニット（Ｕ）に対する入力操作と判定することを特徴とする請求項１記載の操作パネル入力装置。
【請求項３】
発光制御手段（１０）は、全ての光スイッチユニット（Ｕ）の発光手段（５）から光検出信号を発光させない消灯期間（ｔｏｆｆ）を、少なくとも一走査周期（Ｔ）内に設定するとともに、受光制御手段（１０）は、少なくともいずれかの光スイッチユニット（Ｕ）の受光手段（６）に対し消灯期間（ｔｏｆｆ）中の消灯時受光量（Ｌｏｆｆ）を検出させ、
受光手段（６）が検出した消灯時受光量（Ｌｏｆｆ）が、所定の消灯しきい値を越えたときに、全ての光スイッチユニット（Ｕ）についての入力判定手段（１０）による入力操作の判定を、一定期間無効とすることを特徴とする請求項２記載の操作パネル入力装置。
【請求項４】
発光制御手段（１０）は、全ての光スイッチユニット（Ｕ）の発光手段（５）から光検出信号を発光させない消灯期間（ｔｏｆｆ）を、少なくとも一走査周期（Ｔ）内に設定するとともに、受光制御手段（１０）は、少なくともいずれかの光スイッチユニット（Ｕ）の受光手段（６）に対し消灯期間（ｔｏｆｆ）中の消灯時受光量（Ｌｏｆｆ）を検出させ、
受光量記憶部（２１）は、消灯期間（ｔｏｆｆ）中に受光手段（６）が検出した消灯時受光量（Ｌｏｆｆ）を、発光時受光量（Ｌｏｎ）とともに一次記憶し、
受光手段（６）が新たに検出した消灯時受光量（Ｌｏｆｆ（ｃ））が、その受光手段（６）について受光量記憶部（２１）で一次記憶された消灯時受光量（Ｌｏｆｆ（ｏ））と比較して、所定の環境しきい値を越えたときに、全ての光スイッチユニット（Ｕ）についての入力判定手段（１０）による入力操作の判定を、一定期間無効とすることを特徴とする請求項２記載の操作パネル入力装置。
【請求項５】
操作パネル（３）に対する接触を検知する接触検知手段（１２Ａ、１２Ｂ）が操作パネル（３）に配置され、
入力判定手段（１０）が入力操作と判定した前後所定の推定操作期間内に、接触検知手段（１２Ａ、１２Ｂ）から接触検知信号が入力されることを条件に、当該光スイッチユニット（Ｕ）に対する入力操作の判定を有効とすることを特徴とする請求項２記載の操作パネル入力装置。
【請求項６】
入力判定手段（１０）は、光スイッチユニット（Ｕ）の受光手段（６）が新たに検出した発光時受光量（Ｌｏｎ（ｃ））が、その受光手段（６）について受光量記憶部（２１）で一次記憶された発光時受光量（Ｌｏｎ（ｏ））と比較して、所定の解除しきい値を越えて減少したときに、当該光スイッチユニット（Ｕ）に対する入力操作の解除と判定することを特徴とすることを特徴とする請求項１記載の操作パネル入力装置。
【請求項７】
受光手段（６）は、発光手段（５）が光検出信号を発光する走査周期（Ｔ）に同期して受光量を検出する期間内に、複数回受光量を検出し、その平均値を受光手段（６）が検出した受光量とすることを特徴とする請求項１乃至６のいずれか１項に記載の操作パネル入力装置。
【発明の詳細な説明】
【０００１】
【発明の属する技術分野】
本発明は、主に家電機器へ種々の入力操作を行う為の操作パネル入力装置に関し、更に詳しくは、操作パネルに触れずに入力操作が可能な操作パネル入力装置に関する。
【０００２】
【従来の技術】
【０００３】
給湯器や洗濯機等の家電機器には、これらの機器を操作するための操作スイッチが集中して取り付けられた操作パネルが備えられている。操作者は、この操作スイッチのいずれかを指で押圧することによって、機器に対して所定の動作制御を行う。
【０００４】
しかしながら、操作スイッチを直接指で押圧して操作する構造である為、可動部品を使用せざるを得ず、その耐久性に問題があり、また、操作スイッチの表面を指が触れることによって汚れ、操作パネルの美感を損なうという問題があった。
【０００５】
このようなことから、操作パネルを直接指で触れずに所定の操作を実行することができる非接触式の操作パネル入力装置が知られている（例えば、特許文献１）。
【０００６】
【特許文献１】
特開２０００−１００２８７（第４頁、図２）
【０００７】
図１０は、この従来の操作パネル入力装置１００を示すもので、透明のアクリル板で形成された操作パネル１０１の内方に、家電機器への制御内容に対応させて複数組の光スイッチユニットＵ１（例えば、家電機器の電源をＯＮ制御する）、Ｕ２・・が配置されている。
【０００８】
各組の光スイッチユニットＵは、４５５ＫＨＺの固有周波数の赤外線検出信号を発光する赤外発光素子１０２と、赤外発光素子１０２から発光される赤外線検出信号を受光可能な赤外受光素子１０３とで構成されている。
【０００９】
各光スイッチユニットＵから発光される赤外線検出信号は、図１１に示すように、互いに他の光スイッチユニットＵ１、Ｕ２・・から発光される赤外線検出信号と重複しないようように、所定の走査周期Ｔで繰り返し赤外発光素子１０２から発光される。
【００１０】
図１０に示すように、同一の光スイッチユニットＵで対となる赤外発光素子１０２と赤外受光素子１０３は、隣り合うようにプリント配線基板１０４上に実装され、これらの光スイッチユニットＵと操作パネル１０１の間には、赤外線のみを透過させる赤外フィルタ１０５が配設されている。
【００１１】
従って、各組の赤外発光素子１０２から発光される赤外線検出信号は、その上方の赤外フィルタ１０５と操作パネル１０１を通過して外方に出力され、又、外来光の内、赤外線検出信号を含む赤外線のみが、その近傍の操作パネル１０１と赤外フィルタ１０５を透過して赤外受光素子１０３に到達する。
【００１２】
赤外受光素子１０３の出力側には、４５５ＫＨＺの固有周波数の光電変換信号を通過させるバンドパスフィルタを介して、光スイッチユニットＵへの入力操作を判定するマイコンが備えられている。従って、赤外受光素子１０３が、固有周波数の赤外線検出信号を受光した場合にのみ、その光電変換信号がマイコンへ入力される。これにより、自然光、他のリモコン送信信号などと、赤外発光素子１０２から発光された赤外線検出信号とを、受光手段１０３により識別することができる。
【００１３】
光スイッチユニットＵの近傍に、赤外線検出信号を反射させるような物体が存在しない場合には、所定の走査周期で赤外発光素子１０２から発光される赤外線検出信号を、同一光スイッチユニットＵの対となる赤外受光素子１０３が受光することはなく、マイコンに、光電変換信号が入力されない。この状態では、マイコンは、光スイッチユニットＵに対する入力操作は行われていないものと判定する。
【００１４】
一方、下方に光スイッチユニットＵ１が配置された操作パネル１０１へ、例えば指を近づけて入力操作を行うと、赤外発光素子１０２から発光される赤外線検出信号は、操作パネル１０１の上方に接近する指で反射され、再び、操作パネル１０１と赤外フィルタ１０５を透過して、同じ光スイッチユニットＵ１の赤外受光素子１０３に入力される。マイコンは、赤外受光素子１０３で光電変換された光電変換信号を、同じ光スイッチユニットＵ１の赤外発光素子１０２が赤外線検出信号を発光したタイミングとほぼ同時に入力すると、その光スイッチユニットＵ１に対して入力操作が行われたものと判定し、家電機器に対して例えば電源をＯＮとする制御信号を出力する。
【００１５】
このときに、他の光スイッチユニットＵ２の赤外受光素子１０３においても、指で反射された赤外線検出信号を受光することがあるが、その光スイッチユニットＵ２の赤外発光素子１０２が赤外線検出信号を発光するタイミングと異なるタイミングで、光電変換信号がマイコンに入力されるので、その光スイッチユニットＵ２に対する入力操作とは認識しない。
【００１６】
尚、一般に、操作パネル１０１の内方には、図１２に示すように、各光スイッチユニットＵによる制御内容や操作方法若しくは家電機器の動作状態を表示する為の液晶表示パネル１０６、更にその内方に、拡散シート１０７と導光板１０８がそれぞれ積層されている。導光板１０８は、図示しない光源からの光を液晶表示パネル１０６の背面全体に導光し、液晶表示パネル１０８のバックライトとして作用するもので、また、拡散シート１０７は、操作パネル１０１の外方から光スイッチユニットＵ等が見えないように、光路を拡散するものである。
【００１７】
【発明が解決しようとする課題】
【００１８】
この操作パネル入力装置１００によれば、指が直接操作パネル１０１に触れてその表面を汚すことがなく、また、可動部品を用いないので、耐久性にすぐれたものとすることができる。
【００１９】
しかしながら、光検出信号として固有周波数の赤外線信号を用いるので、赤外フィルタ、変復調回路、バンドパスフィルタを設ける必要があり、構造上複雑になるとともに、外来光に同じ周波数の赤外線を含む場合には、入力操作と誤認識してしまう恐れがあった。
【００２０】
また、赤外発光素子１０２から発光される赤外線検出信号の発光量に比べて、指で反射され赤外受光素子１０３に到達する赤外線検出信号の受光量は、極めて微弱であるので、赤外線検出信号以外の外来光や、操作パネル入力装置１００内での散乱光の影響を受け、赤外受光素子１０３が飽和するなどして、その検出が困難となることがあった。
【００２１】
例えば、マイコンで光電変換信号の入力で、光スイッチユニットＵに対する入力操作と判定する際には、光電変換信号、すなわち赤外受光素子１０３で受光する赤外線検出信号のレベルを、所定の入力しきい値と比較して入力操作と判定するが、外来光の変動や内部の散乱光の変動による影響が無視できないので、赤外線検出信号の入力のみを正確に判定することができなかった。
【００２２】
また、赤外受光素子１０３で受光する受光量は、上述のように一時的な外来光の変化に限らず、赤外線検出信号の光路に介在する操作パネル１０１、液晶表示パネル１０６、拡散シート１０７、導光板１０８などが汚れたり、劣化する等の経年変化によっても変化し、赤外線検出信号の増幅率を固定させ所定のしきい値と比較していると、全く入力操作を判定しなくなったり、逆に常時入力操作と判定してしまうという誤判定の原因となっていた。
【００２３】
更に、従来の操作パネル入力装置１００では、直接操作パネル１０１に触れることなく入力操作そのものを判定できるが、入力操作と入力操作解除のタイミングなど入力操作状態を更に詳細に判別することはできなかった。
【００２４】
本発明は、このような従来の問題点を考慮してなされたものであり、外来光や内部の散乱光が一時的に変化しても正確に入力操作を判定できる操作パネル入力装置を提供することを目的とする。
【００２５】
また、経年変化により赤外線検出信号の到達量が変化しても、正確に入力操作を判定することができる操作パネル入力装置を提供することを目的とする。
【００２６】
更に、入力操作状態を詳細に判別することができる操作パネル入力装置を提供することを目的とする。
【００２７】
【課題を解決するための手段】
【００２８】
請求項１の操作パネル入力装置は、少なくとも一部が光透過部となった操作パネルと、各光スイッチユニットＳＷが、操作パネルの内方に配置され、操作パネルの光透過部から外方へ光検出信号を発光する発光手段と、光透過部の外方で反射された光検出信号を受光可能な受光手段とを、対として有する複数の光スイッチユニットＳＷと、各光スイッチユニットＳＷの発光手段に対し、他の光スイッチユニットＳＷの発光手段から発光される光検出信号と重複しないように、少なくとも入力操作時間より短い走査周期で光検出信号を繰り返し発光させる発光制御手段と、発光手段が光検出信号を発光する走査周期に同期させて、同一の光スイッチユニットＵで対となる受光手段に対し受光量を検出させる受光制御手段と、受光手段が検出した受光量を、各光スイッチユニットＵの受光手段毎に一次記憶する受光量記憶部と、光スイッチユニットＵの発光手段が光検出信号を発光した際の対となる受光手段が検出した受光量から、前記光スイッチユニットＵに対する入力操作状態を判定する入力判定手段とを備えた操作パネル入力装置であって、　受光量記憶部は、発光手段が光検出信号を発光する発光期間に、対となる受光手段が検出した発光時受光量を一次記憶し、入力判定手段は、光スイッチユニットＵの受光手段が新たに検出した発光時受光量と、その受光手段について受光量記憶部で一次記憶された発光時受光量とから、当該光スイッチユニットＵに対する入力操作状態を判定することを特徴とする。
【００２９】
指などの操作体により反射し受光手段に達する光検出信号は、操作体が光スイッチユニットＵに接近するほど増加し、離れると減少するので、発光手段が光検出信号を発光する走査周期に同期して受光手段が受光する発光時受光量は、操作体との距離で増減する。
【００３０】
従って、受光量記憶部で一次記憶される発光時受光量と、新たに検出される発光時受光量とを比較すれば、操作体との距離の変化を検出することができ、入力操作状態を判定できる。
【００３１】
一方、外来光、内部散乱光などの経年変化による光量変化は、受光量記憶部で一次記憶される発光時受光量と新たに検出される発光時受光量のいずれにも等しく影響し、その受光量の差には表れないので、入力操作状態のみを判定することができる。
【００３２】
また、外来光、内部散乱光の一時的な光量変化があっても、入力操作と同様に変化することは希で、同様に受光量記憶部で一次記憶される発光時受光量と新たに検出される発光時受光量の差には表れないので、入力操作状態のみを判定できる。
【００３３】
また、請求項２の操作パネル入力装置は、入力判定手段が、光スイッチユニットＵの受光手段が新たに検出した発光時受光量が、その受光手段について受光量記憶部で一次記憶された発光時受光量と比較して、所定の入力しきい値を越えて増加したときに、当該光スイッチユニットＵに対する入力操作と判定することを特徴とする。
【００３４】
操作体が光スイッチユニットＵに接近すると、操作体で反射し受光手段に到達する光検出信号が増加し、その結果、新たに検出される発光時受光量は、受光量記憶部で一次記憶される発光時受光量に比べて増加するので、所定の入力しきい値と比較することにより、入力操作のタイミングまで、入力操作を正確に判定できる。
【００３５】
また、請求項３の操作パネル入力装置は、発光制御手段が、全ての光スイッチユニットＵの発光手段から光検出信号を発光させない消灯期間を、少なくとも一走査周期内に設定するとともに、受光制御手段は、少なくともいずれかの光スイッチユニットＵの受光手段に対し消灯期間中の消灯時受光量を検出させ、受光手段が検出した消灯時受光量が、所定の消灯しきい値を越えたときに、全ての光スイッチユニットＵについての入力判定手段による入力操作の判定を、一定期間無効とすることを特徴とする。
【００３６】
受光手段が検出する消灯時受光量には、光検出信号が含まれないので、入力操作とは無関係な外来光及び内部散乱光の光量が表れる。従って、消灯時受光量が消灯しきい値を越えて増加したときには、入力操作と無関係な外来光及び内部散乱光による光量の増加とみなすことができ、これらの増加により発光時受光量が増加し入力操作と判定しても、判定を一定期間無効とすることで、機器の誤動作を防止できる。
【００３７】
一時的な光量変化に起因する誤判定を、特に別の入力操作認識手段を併用せずに確実に防止できる。
【００３８】
また、請求項４の操作パネル入力装置は、発光制御手段が、全ての光スイッチユニットＵの発光手段から光検出信号を発光させない消灯期間を、少なくとも一走査周期内に設定するとともに、受光制御手段は、少なくともいずれかの光スイッチユニットＵの受光手段に対し消灯期間中の消灯時受光量を検出させ、受光量記憶部は、消灯期間中に受光手段が検出した消灯時受光量を、発光時受光量とともに一次記憶し、受光手段が新たに検出した消灯時受光量が、その受光手段について受光量記憶部で一次記憶された消灯時受光量と比較して、所定の環境しきい値を越えたときに、全ての光スイッチユニットＵについての入力判定手段による入力操作の判定を、一定期間無効とすることを特徴とする。
【００３９】
消灯時受光量の一時的な変化には、光検出信号による影響や外来光及び内部散乱光の経年変化による光量変化は表れない。従って、新たに検出される消灯時受光量が受光量記憶部で一次記憶される消灯時受光量に比べて、所定の環境しきい値を越えて増加したときには、外来光及び内部散乱光の一時的な増加とみなすことができ、これらの増加により発光時受光量が増加し入力操作と判定しても、判定を一定期間無効とすることで、機器の誤動作を防止できる。
【００４０】
特に別の入力操作認識手段を併用せずに、また、経年変化で外来光及び内部散乱光の光量が変化しても、一時的な光量変化に起因する誤判定を確実に防止できる。
【００４１】
また、請求項５の操作パネル入力装置は、操作パネルに対する接触を検知する接触検知手段が操作パネルに配置され、入力判定手段が入力操作と判定した前後所定の推定操作期間内に、接触検知手段から接触検知信号が入力されることを条件に、当該光スイッチユニットＵに対する入力操作の判定を有効とすることを特徴とする。
【００４２】
操作パネルに対する接触を条件に、入力操作の判定を有効とするので、入力操作と同様の外来光、内部散乱光の一時的な光量変化が発生し、入力操作と判定した場合であっても、入力操作に従った命令が実行されず、機器の誤動作を確実に防止できる。
【００４３】
操作体の接近による入力操作の判定と操作パネルへの接触の時間差は、通常の入力操作から推定される推定操作期間以内であるので、通常の入力操作であれば、入力操作の判定と接触検知信号の出力に時間差が生じても、入力操作の判定が有効とされる。
【００４４】
また、請求項６の操作パネル入力装置は、入力判定手段が、光スイッチユニットＵの受光手段が新たに検出した発光時受光量が、その受光手段について受光量記憶部で一次記憶された発光時受光量と比較して、所定の解除しきい値を越えて減少したときに、当該光スイッチユニットＵに対する入力操作の解除と判定することを特徴とすることを特徴とする。
【００４５】
光スイッチユニットＵに接近していた操作体が離間すると、操作体で反射し受光手段に到達する光検出信号が減少し、その結果、新たに検出される発光時受光量は、受光量記憶部で一次記憶される発光時受光量に比べて減少するので、所定の解除しきい値と比較することにより、入力操作解除のタイミングを含む入力操作状態を正確に判定できる。
【００４６】
従って、通常の入力操作の際のみならず、入力操作解除の際にも、異なる制御内容を光スイッチユニットに対して入力できる。
【００４７】
また、請求項７の操作パネル入力装置は、受光手段が、発光手段が光検出信号を発光する走査周期に同期して受光量を検出する期間内に、複数回受光量を検出し、その平均値を受光手段が検出した受光量とすることを特徴とする。
【００４８】
受光手段は、走査周期毎に一度検出する受光量を、その検出期間内に複数回検出した受光量の平均値から求めるので、検出異常値が発生しても、受光量への影響が少なく、誤判定が減少する。
【００４９】
【発明の実施の形態】
以下、本発明に係る操作パネル入力装置１の一実施の形態を、図１乃至図７で説明する。
【００５０】
図１は、操作パネル入力装置１の斜視図で、家電機器であるユニットバスに付属する給湯器（図示せず）に備えられるものである。本発明に係る操作パネル入力装置は、防水性が求められる洗濯機、風呂の給湯器などに特に適しているが、音響機器、空調機器など他の電気機器を制御する入力装置としてこれらに付属して備えるものでもよい。
【００５１】
操作パネル入力装置１は、外方（図２において上方側）から、操作パネルとなる矩形の透明アクリル板３、液晶表示パネル４、バックライトパネル７、反射板９、プリント配線基板１３が積層して配置されたもので、これらは、積層された状態で互いの対向面が貼り付けられ、合成樹脂製のケース２内に収容されている。
【００５２】
ケース２は、外方に開口する枡形の基台２ａと、枡形周囲に嵌合し、枡形の上方に固定枠２２が突き出た押さえカバー２ｂとからなり、両者のフランジ部に挿通させる取り付けネジ２３により一体化される。
【００５３】
ケース２と透明アクリル板３との間には、接着剤、粘着剤等が塗布され、操作パネル入力装置１内に水滴、埃等が侵入しないようになっている。
【００５４】
透明アクリル板３の周囲に固定枠２２の厚み分の段差を設けることにより、透明アクリル板３とその周囲のケース２の表面は、同一平面上に整列する。
【００５５】
液晶表示パネル４は、給湯器に対して入力操作を行う制御内容と、給湯器の動作に関する所定の表示を、透明アクリル板３を通して表示するもので、図１に示す給湯器では、主電源の入力、給湯動作のスタート、追いだきの選択等の入力操作を示す表示３０ａ、３０ｂ、３０ｃ・・が、矩形枠で表示した操作エリア３０Ａ、３０Ｂ、３０Ｃ・・とともに表示される。また、この表示では、浴槽内への給湯量３１、給湯温度３２が表示されている。
【００５６】
この液晶表示パネル４による表示は、図示しない液晶ドライバーの制御により、表示されるもので、操作エリアと入力操作を示す表示３０の位置と数、及びその他の表示は、給湯器の動作状態に応じて可変するようになっている。
【００５７】
バックライトパネル７は、液晶表示パネル４の表示を内方から照光するもので、その端面に配置されるバックライト光源４０（図３参照）からのバックライト光を、その内部に導光している。バックライトパネル７は、表面（液晶表示パネル４との対向面）に拡散シート７Ａが貼り付けられた透明なアクリル板で形成され、また、背面側には、対向面を白色とした反射板９が配置されるので、バックライト光源から発光されるバックライト光は、バックライトパネル７の内部で、散乱しながら外方に導光される。これにより、透明アクリル板３の外方からは、特定のバックライト光源は確認されず、あたかも液晶表示パネル４による表示の背景全体がバックライト光により照光されたように見える。
【００５８】
本実施例では、バックライトパネル７とバックライト光源４０は、操作エリア３０毎にしきり板３３により区切られ、操作エリア３０の背面を、異なる光源で照光するようになっている。
【００５９】
反射板９は、上述のように表面に白色の塗料を塗布することにより、バックライトパネル７との対向面を白色とし、バックライト光を下方に逃げないようにバックライトパネル７内に反射させている。白色とするので、バックライト光を所定の色彩に着色すれば、液晶表示パネル４の背景は、その色彩に変化したように目視される。反射板９には、後述する発光素子５ａの図３において上方（表面側）に出力側小孔３４が、受光素子６ａの上方に入力側小孔３５が穿設されている。これらの小孔３４、３５は、例えば、内径が１乃至１．５ｍｍ程度の小孔であり、また、バックライトパネル７の表面側の拡散シート７Ａにより光路が散乱されるので、透明アクリル板３の外方からは、目視されない。
【００６０】
反射板９の背面側に取り付けられるプリント配線基板１３には、操作パネル３に表示される操作エリア３０Ａ、３０Ｂ、３０Ｃ・・のそれぞれに対応させて光スイッチユニットＵ１、Ｕ２、Ｕ３、・・が配置されている（図４参照）。各光スイッチユニットＵは、赤外発光素子５ａを有する発光手段５と、赤外発光素子５ａから発光される赤外光検出信号を受光可能な赤外受光素子６ａを有する受光手段６とを、対として構成されている。本実施の形態では、赤外発光素子５ａとして赤外発光ダイオードを、赤外受光素子として、ピンフォトダイオードをそれぞれ用いている。
【００６１】
図３に示すように、同一光スイッチユニットＵの赤外発光素子５ａと赤外受光素子６ａは、プリント配線基板１３に穿設された出力孔３６と入力孔３７内に、それぞれの発光面と受光面を臨ませて、プリント配線基板１３の背面側に実装されている。尚、赤外受光素子６ａの受光面には、赤外光検出信号の赤外線のみを透過させる赤外フィルタ８が形成されている。
【００６２】
出力孔３６と入力孔３７は、その表面側に積層された反射板９の出力側小孔３４と入力側小孔３５の内径よりやや大きい内径で、それぞれ出力側小孔３４と入力側小孔３５に同一軸線上に連通するもので、これにより、各光スイッチユニットＵの赤外発光素子５ａから発光される赤外光検出信号は、出力孔３６と出力側小孔３４を通過して、透明アクリル板３から外方に放射され、又、透明アクリル板３の外方から受ける光は、入力側小孔３５と入力孔３７を通過し、更に赤外フィルタ８を通過することにより、赤外光検出信号を含む赤外線が赤外受光素子６ａに入力される。
【００６３】
図４は、本実施の形態に係る操作パネル入力装置１の各回路構成を示すブロック図であり、以下、このブロック図に沿って操作パネル入力装置１をその作用とともに説明する。
【００６４】
各光スイッチユニットＵ１、Ｕ２、Ｕ３の赤外発光素子５ａは、それぞれマイコン１０によって接続制御されるＬＥＤマルチプレクサ１６に接続し、発光制御手段として作用するマイコン１０により制御される発光タイミングで赤外光検出信号を発光する。すなわち、図５に示すように、各スイッチユニットＵ１、Ｕ２、Ｕ３の赤外発光素子５ａは、前後に０．５ｍｓｅｃの消灯期間ｔｏｆｆをおいて０．５ｍｓｅｃの発光期間ｔｏｎ、他の赤外発光素子５ａと重複しないタイミングで赤外光検出信号を発光するもので、前後の消灯期間ｔｏｆｆには、いずれの赤外発光素子５ａからも赤外光検出信号を発光しない。
【００６５】
発光制御は、全ての赤外発光素子５ａについて発光制御した後再び繰り返され、その一走査周期Ｔは、入力操作に要する時間に比べて短い時間に設定される。操作者が入力操作に要する時間は、個人差があるが経験的に５０ｍｓｅｃから２００ｍｓｅｃと推定し、ここでは５０ｍｓｅｃより短い１５ｍｓｅｃとしている。
【００６６】
一方、各光スイッチユニットＵ１、Ｕ２、Ｕ３の赤外発光素子５ａのそれぞれについて対となる赤外受光素子６ａは、マイコン１０によって接続制御されるＰｄマルチプレクサ１７に接続し、受光制御手段としても作用するマイコン１０で制御される後述の受光タイミングで受光する。
【００６７】
Ｐｄマルチプレクサ１７の出力は、増幅回路１８を介してマイコン１０のＡ／Ｄコンバータ１９に接続されている。従って、赤外受光素子６ａがマイコン１０で制御される受光タイミングで検出する受光量は、増幅回路１８で増幅された後、Ａ／Ｄコンバータ１９でＡ／Ｄ変換された後、マイコン１０に入力される。
【００６８】
この受光タイミングは、発光素子５ａを発光制御する走査周期Ｔに同期するもので、それぞれ対となる赤外受光素子６ａ毎にその受光タイミングが設定される。ここでは、図５に示す各スイッチユニットＵ１、Ｕ２、Ｕ３の赤外発光素子５ａを発光させている発光期間ｔｏｎ毎に、受光量を検出している。
【００６９】
図６は、この各発光期間ｔｏｎにおいて、受光量を検出する詳細を示すもので、各発光期間ｔｏｎのそれぞれで４回割込処理を行って（図中１２から１５の割込時間）、Ａ／Ｄコンバータ１９へその時の受光量を読み込んでいる。
【００７０】
マイコン１０では、発光期間ｔｏｎにＡ／Ｄコンバータ１９から読み込んだ４回の受光量を平均して、新たに検出された発光時受光量Ｌｏｎ（ｃ）とする。このように、複数回検出した受光量を平均することにより、１回の検出に誤差が生じても、マイコン１０へ出力される受光量への影響が減じられる。発光時受光量Ｌｏｎ（ｃ）は、マイコン１０において後述の発光時受光量Ｌｏｎ（ｏ）と比較されるとともに、スイッチユニットＵ毎に、マイコン１０に接続される４段からなるシフトレジスタ２１の最下段に記憶される。
【００７１】
同様の処理は、各スイッチユニットＵ１、Ｕ２、Ｕ３について走査周期Ｔ毎に繰り返され、新たに検出された発光時受光量Ｌｏｎ（ｃ）がシフトレジスタ２１の最下段に記憶されるとともに、各段に記憶された受光量は、順次上位段に移される。その結果、特定のスイッチユニットＵについて、シフトレジスタ２１の最上位段に記憶された発光時受光量Ｌｏｎ（ｏ）は、同一スイッチユニットＵについての新たな受光量検出時の４Ｔ時間前、つまり６０ｍｓｅｃ前に検出した受光量を表すものとなる。
【００７２】
図７は、特定のスイッチユニットＵに対して、操作体である指１１を接近させた後離間させる入力操作状態について、各走査周期Ｔ毎のマイコン１０に入力される発光時受光量Ｌｏｎを実線で結び、発光時受光量Ｌｏｎの変化を表したグラフである。
【００７３】
同図のＴ１乃至Ｔ２時は、入力操作前の待機状態であり、指１１がスイッチユニットＵから離間しているので、赤外受光素子６ａは、外来光と内部で散乱する赤外光検出信号を受光し、発光時受光量Ｌｏｎが１Ｖとなっている。
【００７４】
この待機状態からの入力操作で指１１を接近させると、指１１で反射される赤外光検出信号が徐々に増加して発光時受光量Ｌｏｎが増加し、最もスイッチユニットＵへ接近させたＴ７時で約１．５Ｖのピークに達する。
【００７５】
その後、指１１を離間させていくと、反射される赤外光検出信号が徐々に減少して発光時受光量Ｌｏｎも減少し、Ｔ１２時で待機状態約の１Ｖに戻る。
【００７６】
本実施の形態では、指１１の接離に応じてこのように変化する発光時受光量Ｌｏｎから入力操作状態を検出するもので、マイコン１０で、新たに検出した発光時受光量Ｌｏｎ（ｃ）を、シフトレジスタ２１の最上位段に記憶された発光時受光量Ｌｏｎ（ｏ）と比較して、所定の入力しきい値、ここでは０．３ｖを越えて増加したときに、入力操作と判定する。
【００７７】
例えば、図７において、Ｔ５時の発光時受光量Ｌｏｎ（ｃ）は１．２５Ｖ、４Ｔ時間前の発光時受光量Ｌｏｎ（ｏ）は１Ｖであるので、その差は入力しきい値を越えず、続くＴ６時に、発光時受光量Ｌｏｎ（ｃ）が１．４Ｖ、４Ｔ時間前のＴ２時発光時受光量Ｌｏｎ（ｏ）が１Ｖであるので、入力しきい値０．３Ｖを越え、入力操作と判定される。
【００７８】
また、マイコン１０で、新たに検出した発光時受光量Ｌｏｎ（ｃ）を、シフトレジスタ２１の最上位段に記憶された発光時受光量Ｌｏｎ（ｏ）と比較して、所定の解除しきい値、ここでは０．３ｖ以上減少したときに、入力操作の解除と判定する。
【００７９】
例えば、図７において、Ｔ１０時の発光時受光量Ｌｏｎ（ｃ）は１．３Ｖ、４Ｔ時間前の発光時受光量Ｌｏｎ（ｏ）は１．４Ｖであるので、解除しきい値は越えず、続くＴ１１時に、発光時受光量Ｌｏｎ（ｃ）が１．１Ｖ、４Ｔ時間前のＴ７時発光時受光量Ｌｏｎ（ｏ）が１．５Ｖであるので、解除しきい値０．３Ｖを越え、入力操作の解除と判定される。
【００８０】
マイコン１０では、上記入力操作及び入力操作の解除の判定を、各スイッチユニットＵ１、Ｕ２、Ｕ３毎に、新たに検出した発光時受光量Ｌｏｎ（ｃ）とシフトレジスタ２１から読み出した発光時受光量Ｌｏｎ（ｏ）と比較して行う。
【００８１】
マイコン１０において、特定のスイッチユニットＵに対する入力操作と判定すると、そのスイッチユニットＵについて対応づけられた命令を給湯器に対して実行する。例えば、主電源の入力の入力操作を示す表示３０ａを表示した操作エリア３０Ａの下方に配置されたスイッチユニットＵ１に対して入力操作と判定すると、給湯器の電源がＯＮとなる。
【００８２】
また、本実施の形態では、入力操作の解除のタイミングを含む各スイッチユニットＵ毎の入力操作状態を判定できるので、入力操作の解除の判定で別の命令を出力したり、入力操作と入力操作の解除を判定した時間間隔で、入力操作の判定を確定させるなどその判定結果を種々の用途に利用できる。
【００８３】
この第１実施の形態では、経年変化や外来光が徐々に変化する影響を受けて、赤外受光素子６ａが受光する発光時受光量Ｌｏｎのレベルが徐々に変化する場合であっても、入力操作若しくは入力操作の解除の判定において比較する発光時受光量Ｌｏｎ（ｃ）と発光時受光量Ｌｏｎ（ｏ）のいずれもその影響を受けるので、その差には表れず、これらの変化があっても正確に入力操作状態を判定できる。
【００８４】
しかしながら、この第１の実施の形態では、室内のカーテンが開けられたり、照明が点灯される、虫などが接近するなどの種々の原因で、赤外受光素子６ａに到達する外来光や内部散乱光が一時的に変化することがあり、これらの変化が希に入力操作による光量変化と同様に増加する場合には、入力操作と誤判定する恐れがある。
【００８５】
図８は、このような原因で、特定のスイッチユニットＵに対して入力操作を行わない場合であっても、入力操作と同様に発光時受光量Ｌｏｎが増加する変化を表したグラフである。図８では、外来光や内部散乱光が急激に増加することにより、指１１を接近させないにもかかわらず、Ｔ６時に、４Ｔ時間前の１Ｖから発光時受光量Ｌｏｎ（ｃ）が１．４Ｖに達し、入力しきい値０．３Ｖを越え、入力操作と誤判定される。
【００８６】
以下に説明する第２の実施の形態は、このように誤判定するような状態を検出し、一定期間入力操作の判定を無効とし、家電機器などの被制御機器の誤動作を防止するものである。
【００８７】
この第２実施の形態では、受光制御手段とし作用するマイコン１０が、第１実施の形態で、図５に示す各スイッチユニットＵ１、Ｕ２、Ｕ３の赤外発光素子５ａを発光させている期間ｔｏｎ毎に加えて、更に、その直前の消灯期間ｔｏｆｆにおいても受光量を検出するものである。
【００８８】
消灯期間ｔｏｆｆにおいて受光量を検出する詳細は、発光期間ｔｏｎにおける検出と同様で、図６に示すように、各消灯期間ｔｏｆｆのそれぞれで４回割込処理を行って（消灯期間ｔｏｆｆでは、図中４から７の割込時間）、Ａ／Ｄコンバータ１９へその時の受光量を読み込む。
【００８９】
マイコン１０では、消灯期間ｔｏｆｆにＡ／Ｄコンバータ１９から読み込んだ４回の受光量を平均して、新たに検出された消灯時受光量Ｌｏｆｆ（ｃ）とする。消灯時受光量Ｌｏｆｆ（ｃ）を検出するにあたっても、同様に複数回検出した受光量を平均し、１回の検出誤差による検出値への影響を減じている。消灯時受光量Ｌｏｆｆ（ｃ）は、発光時受光量Ｌｏｎ（ｃ）と同様に、スイッチユニットＵ毎にシフトレジスタ２１の最下段に記憶され、新たに検出された消灯時受光量Ｌｏｆｆ（ｃ）がシフトレジスタ２１の最下段に記憶される毎に順次上位段に移される。
【００９０】
マイコン１０では、各スイッチユニットＵについて、新たに検出された消灯時受光量Ｌｏｆｆ（ｃ）と、シフトレジスタ２１の最上位段に記憶された消灯時受光量Ｌｏｆｆ（ｏ）、つまり４Ｔ時間（６０ｍｓｅｃ）前に検出した消灯時受光量Ｌｏｆｆ（ｏ）とを比較し、外来光と内部散乱光の異常増加を検出する。
【００９１】
すなわち、新たに検出された消灯時受光量Ｌｏｆｆ（ｃ）が、その４Ｔ時間前に検出した消灯時受光量Ｌｏｆｆ（ｏ）に比べて、所定の環境しきい値、ここでは０．３ｖを越えて増加したときには、外来光と内部散乱光の異常増加と判定し、所定期間（例えば数秒）全てのスイッチユニットＵについての入力操作の判定を無効とする。従って、特定のスイッチユニットＵが発光時受光量Ｌｏｎの増加から入力操作と判定しても、その判定が無効とされ、家電機器などで意図しない命令が実行されることがない。
【００９２】
これを消灯時受光量Ｌｏｆｆの変化を破線で結び表示した図８を用いて説明すると、Ｔ１時の発光時受光量Ｌｏｎ（ｃ）が外来光と赤外線検出信号を含む内部散乱光を受光して１Ｖであるのに対し、Ｔ１時（正確には、その０．５ｍｓｅｃ前）の消灯時受光量Ｌｏｆｆ（ｃ）は、赤外線検出信号による内部散乱光を含まないので、やや低い０．８Ｖとなっている。
【００９３】
カーテンなどがひかれて入力操作と同じ程度に外来光や内部散乱光（以下、単に外来光と記述して説明する）が増加すると、発光時受光量Ｌｏｎ（ｃ）とともに消灯時受光量Ｌｏｆｆ（ｃ）も増加する。これによりＴ６時に、発光時受光量Ｌｏｎ（ｃ）が４Ｔ時間前の発光時受光量Ｌｏｎ（ｏ）と比較して入力しきい値０．３Ｖを越えて増加し、入力操作と判定されるが、Ｔ６時の消灯時受光量Ｌｏｆｆ（ｃ）も、外来光などの増加により４Ｔ時間前の消灯時受光量Ｌｏｆｆ（ｏ）から環境しきい値０．３Ｖを越えて増加するので、前記入力操作の判定は無効とされる。
【００９４】
一方で、入力操作の状態を示す図７において、消灯時受光量Ｌｏｆｆの変化を破線で結び表示するように、外来光の異常増加がなければ、入力操作を行う指１１で外来光が遮られるので、消灯時受光量Ｌｏｆｆはむしろ減少し、その増加が環境しきい値を越えることはないので、入力操作の判定は有効に保たれる。
【００９５】
尚、同図に示すように、指１１を離間させる際に、消灯時受光量Ｌｏｆｆが一時的に増加するが、その増加分は環境しきい値を越えるものではなく、更に、発光時受光量Ｌｏｎが減少している間には、消灯時受光量Ｌｏｆｆの変化を環境しきい値と比較しないという方法を採用してもよい。
【００９６】
尚、入力しきい値と環境しきい値は、必ずしも同じ値である必要はなく、また、外来光の異常増加があっても、同時にそれぞれのしきい値を越えるものではないので、入力しきい値を越えた前後例えば２Ｔ時間（３０ｍｓｅｃ）以内に環境しきい値を越えた場合であっても、入力操作の判定を無効とすることが望ましい。
【００９７】
また、外来光の異常増加は、全てのスイッチユニットＵに対して等しく影響するので、必ずしも全てのスイッチユニットＵについて消灯時受光量Ｌｏｆｆを検出する必要はない。
【００９８】
また、上記第２の実施の形態では、消灯時受光量Ｌｏｆｆ（ｃ）をスイッチユニットＵ毎にシフトレジスタ２１に一次記憶するものであるが、走査周期Ｔ毎に検出される消灯時受光量Ｌｏｆｆ（ｃ）を、固定値である消灯しきい値と比較し、消灯しきい値を越えた場合に、外来光の異常増加と判定し、所定期間全てのスイッチユニットＵの入力操作の判定を無効としてもよい。消灯しきい値は、例えば、外来光の異常と予測される１．２Ｖ等の絶対値で定めても、入力操作を行わない待機状態での消灯時受光量Ｌｏｆｆに対して例えば＋０．３Ｖのように定めてもよい。
【００９９】
図９は、第１の実施の形態の一部を改良し、外来光の異常増加があっても入力操作を正確に判定する第３の実施の形態に係る操作パネル入力装置５０示すブロック図であり、図４と比較して明らかなように、操作パネルとなる透明アクリル板３の直交するＸ、Ｙ方向の周縁に沿って圧電基板１２Ａ、１２Ｂを固着したものである。
【０１００】
本実施の形態では、圧電基板１２Ａ、１２Ｂによる圧電効果を利用（機械的歪みから発生する電圧信号を利用）して、操作パネル３に対する接触検知手段とするもので、透明アクリル板３に操作体である指１１を触れると、透明アクリル板３に発生する歪みが周縁に固着された圧電基板１２Ａ、１２Ｂに伝達され、圧電基板１２Ａ、１２Ｂが撓むことにより電圧信号が発生するので、この電圧信号を接触検知信号とするものである。
【０１０１】
圧電基板１２Ａ、１２Ｂは、透明アクリル板３の周縁に取り付けられるので、液晶表示パネル４の表示領域を狭めることがなく、外部からは見えない周縁に取り付けることができる。しかしながら、圧電基板１２Ａ、１２Ｂの取付位置は、透明アクリル板３への接触を検出できれば、いずれの位置に固着するものであってもよい。
【０１０２】
また、圧電基板１２Ａ、１２Ｂを固着した本実施の形態では、透明アクリル板３への接触による歪みを圧電基板１２Ａ、１２Ｂに伝達する必要があるので、透明アクリル板３の変形が拘束されないように、ケース２との間に、合成ゴムからなる緩衝板、粘着剤などを介在させる必要がある。
【０１０３】
圧電基板１２Ａ、１２Ｂの出力は、増幅回路１４を介してマイコン１０のＡ／Ｄコンバータ１９に接続し、これにより操作パネル３を指１１等の操作体で触れると、マイコン１０へ増幅された接触検知信号が入力される。
【０１０４】
マイコン１０は、この接触検知信号の入力を入力操作の判定条件とするが、他の構成は、第１の実施の形態と同一であるので、同一番号を付してその説明を省略する。
【０１０５】
図６に示すように、マイコン１０は、各スイッチユニットＵの発光期間ｔｏｎのそれぞれで、１１で示す割込時間に、Ａ／Ｄコンバータ１９から接触検知信号を読み込む。従って、各スイッチユニットＵの各走査周期Ｔ毎に接触検知信号の有無、すなわち操作パネル３への接触が検出される。
【０１０６】
本実施の形態では、第１の実施の形態と同じ方法で特定のスイッチユニットＵに対する入力操作を判定した前後推定操作期間（例えば、２００ｍｓｅｃ）以内に接触検知信号が入力されることを条件に、その入力操作の判定を有効とし、対応する命令を家電機器へ実行させる。
【０１０７】
この操作パネル入力装置５０では、操作者は、特定のスイッチユニットＵへ指１１等の操作体を接近させた後、操作パネル３に触れ、入力操作を行うが、この入力操作で通常要する時間から推定操作期間（例えば、２００ｍｓｅｃ）を設定するので、指１１の接近による入力操作の判定と接触検知信号の入力に時間差があっても、通常の入力操作である限り入力操作の判定は有効とされる。
【０１０８】
また、単に外来光の異常増加があっただけでは、接触検知信号が入力されないので、異常増加によって入力操作と判定しても、有効なものとは扱われない。
【０１０９】
以上の実施の形態では、光検出信号として赤外光を用い、受光素子６ａの受光面を、赤外光検出信号の赤外線のみを透過させる赤外フィルタ８で覆い、赤外光以外の外来光や内部散乱光が受光素子６ａで受光されることを防止しているが、受光量を比較して入力操作状態が判定できれば、必ずしも、特定波長の光検出信号を用いる必要はない。
【０１１０】
また、操作エリアが３０が比較的広い面積の操作エリア３０である場合には、一つの操作エリア３０に対応して設けられる光スイッチユニットＵに、同時に赤外光検出信号を発光する複数の発光手段５と、その発光タイミングで受光する複数の受光手段６とを対として有するものであってもよく、このように対となる発光手段５と受光手段６とを多数を分散して配置することによって、操作エリア３０が広範囲であっても、操作体で反射される光検出信号を、いずれかの受光手段６が確実に受光できる。
【０１１１】
また、一走査周期Ｔ、発光時受光量Ｌｏｎ（ｃ）と発光時受光量Ｌｏｎ（ｏ）の時間差、消灯時受光量Ｌｏｆｆ（ｃ）と消灯時受光量Ｌｏｆｆ（ｏ）の時間差は、各しきい値は、入力操作状態を最も効果的に判定できるように任意に定められるものであり、上述の例に限るものではない。
【０１１２】
更に、指１１で入力操作を行う例で説明したが、指以外の専用入力ペン等を操作体と入力操作を行うものであってもよい。
【０１１３】
【発明の効果】
以上説明したように、本発明によれば、外来光や内部の散乱光が一時的に若しくは長期的に変化しても、これらの変化の影響を受けずに、入力操作を判定できる。
【０１１４】
また、入力操作状態を受光手段の受光量の変化から詳細に判別することができる。
【０１１５】
これに加えて請求項２の発明によれば、入力操作のタイミングまで、入力操作を正確に判定できる。
【０１１６】
また、請求項３の発明によれば、消灯時受光量が消灯しきい値を越えて増加したときには、入力操作と無関係な外来光及び内部散乱光による光量の増加とみなすことができ、これらの増加により発光時受光量が増加し入力操作と判定しても、判定を一定期間無効とすることで、機器の誤動作を防止できる。
【０１１７】
また、請求項４の発明によれば、消灯時受光量の変化を所定の環境しきい値と比較することによって、外来光及び内部散乱光の経年変化による影響を除き一時的な増加のみを正確に判定でき、これらの一次的増加によって入力操作と判定しても、判定を一定期間無効とすることで、機器の誤動作を防止できる。
【０１１８】
また、請求項５の発明によれば、操作パネルに対する接触を条件に、入力操作の判定を有効とするので、外来光、内部散乱光の一時的な光量変化が発生し、入力操作と判定した場合であっても、入力操作に従った命令が実行されず、機器の誤動作を確実に防止できる。
【０１１９】
また、請求項６の発明によれば、入力操作解除のタイミングを含む入力操作状態を正確に判定できる。従って、通常の入力操作の際のみならず、入力操作解除の際にも、異なる制御内容を光スイッチユニットに対して入力できる。
【０１２０】
また、請求項７の発明によれば、検出期間内に複数回検出した受光量の平均値から求めるので、検出異常値が発生しても、受光量への影響が少なく、誤判定が減少する。
【図面の簡単な説明】
【図１】本発明に係る操作パネル入力装置１の斜視図である。
【図２】操作パネル入力装置１の縦断面図である。
【図３】図２の要部拡大縦断面図である。
【図４】操作パネル入力装置１の構成を示すブロック図である。
【図５】操作パネル入力装置１の各光スイッチユニットＵから発光される赤外光検出信号を示すタイミングチャートである。
【図６】発光期間ｔｏｎと消灯期間ｔｏｆｆ内に、受光量と接触検知信号を読み込むタイミングを示すタイミングチャートである。
【図７】特定のスイッチユニットＵに対して、指１１を接近させた後離間させる入力操作状態において、発光時受光量Ｌｏｎと消灯時受光量Ｌｏｆｆの変化を表したグラフである。
【図８】特定のスイッチユニットＵに対して、待機状態において、発光時受光量Ｌｏｎと消灯時受光量Ｌｏｆｆの変化を表したグラフである。
【図９】他の実施の形態に係る操作パネル入力装置５０の構成を示すブロック図である。
【図１０】従来の操作パネル入力装置１００を示す縦断面図である。
【図１１】従来の操作パネル入力装置１００の光スイッチユニットＵから発光される赤外線検出信号のタイミングチャートである。
【図１２】従来の操作パネル入力装置１００の操作パネル１０１内方を拡大して示す拡大縦断面図である。
【符号の説明】
１、５０　　　　操作パネル入力装置
３　　　　　　　操作パネル（透明アクリル板）
５　　　　　　　発光手段
６　　　　　　　受光手段
１０　　　　　　マイコン（発光制御手段、受光制御手段、入力判定手段）
１２Ａ、１２Ｂ　接触検知手段（圧電基板）
２１　　　　　　受光量記憶部（シフトレジスタ）
Ｕ　　　　　　　光スイッチユニット
Ｔ　　　　　　　走査周期
Ｌｏｎ　　　　　発光時受光量
Ｌｏｎ（ｃ）　　新たに検出した発光時受光量
Ｌｏｎ（ｏ）　　一次記憶された発光時受光量
ｔｏｎ　　　　　発光期間
ｔｏｆｆ　　　　消灯期間
Ｌｏｆｆ　　　　消灯時受光量
Ｌｏｆｆ（ｃ）　新たに検出した消灯時受光量
Ｌｏｆｆ（ｏ）　一次記憶された消灯時受光量
【図１】
2004147026.tif 000003
【図２】
2004147026.tif 000004
【図３】
2004147026.tif 000005
【図４】
2004147026.tif 000006
【図５】
2004147026.tif 000007
【図６】
2004147026.tif 000008
【図７】
2004147026.tif 000009
【図８】
2004147026.tif 000010
【図９】
2004147026.tif 000011
【図１０】
2004147026.tif 000012
【図１１】
2004147026.tif 000013
【図１２】
2004147026.tif 000014